(57)【要約】【課題】部品点数の増加を招くことなく検出感度のばらつきを抑えること。【解決手段】操作形態の検出面１１としての２次元平面上に配置した複数の検出部１２を有する静電センサ１０と、接触操作面２１を有する操作体２０と、を備え、接触操作面は、操作者が手指で触れることが可能な複数の接触点２２の集合体であり、全ての接触点が検出面に対して各々直交方向に距離Ｄａを空けて配置され、かつ、検出面と接触点との間の距離が不均一となる少なくとも２つの領域に区分され、検出部は、直交方向で互いに電極間距離Ｄｂを空けて配置して静電容量を生じさせ、かつ、操作者の操作時に静電容量を変動させる第１電極部１３ａと第２電極部１４ａとを１つずつ有し、静電センサは、検出面上で接触点との間の直交方向における距離が狭い場所に配置される検出部ほど、直交方向に見た第１電極部と第２電極部との重畳面積を小さくすること。【選択図】図２
2019096020.tif 000002
【特許請求の範囲】
【請求項１】
操作形態の検出面としての２次元平面上に配置した複数の検出部を有する静電センサと、
操作者によって接触操作される接触操作面を有する操作体と、
を備え、
前記接触操作面は、操作者が手指で触れることが可能な複数の接触点の集合体であり、全ての前記接触点が前記検出面に対して各々直交方向に距離を空けて配置され、かつ、前記検出面と前記接触点との間の前記距離が不均一となる少なくとも２つの領域に区分され、
前記検出部は、前記直交方向で互いに電極間距離を空けて配置して静電容量を生じさせ、かつ、前記接触操作面に対する操作者の接触操作に応じて又は前記接触操作面に操作者が手指を近づけた際に静電容量を変動させる第１電極部と第２電極部とを１つずつ有し、
前記静電センサは、前記検出面上で前記接触点との間の前記直交方向における前記距離が狭い場所に配置される前記検出部ほど、前記直交方向に見た前記第１電極部と前記第２電極部との重畳面積を小さくすることを特徴とした入力装置。
【請求項２】
前記静電センサは、前記検出面に対する第１平行平面に沿って同一方向に延在させた複数の第１電極を自らの延在方向に対する直交方向で互いに間隔を空けて並列配置した第１電極群と、前記検出面に対する第２平行平面に沿って同一方向に延在させた複数の第２電極を自らの延在方向に対する直交方向で互いに間隔を空けて並列配置した第２電極群と、を有し、
前記第１電極群と前記第２電極群は、前記検出面に対する直交方向で互いに前記電極間距離を空け、かつ、前記検出面に対する直交方向に見て前記第１電極と前記第２電極とを交差させて配置し、
前記第１電極は、前記検出面に対する直交方向で前記第２電極部に交差する前記第１電極部を前記第２電極毎に有し、
前記第２電極は、前記検出面に対する直交方向で前記第１電極部に交差する前記第２電極部を前記第１電極毎に有することを特徴とした請求項１に記載の入力装置。
【請求項３】
前記接触操作面は、非平面に形成することを特徴とした請求項１又は２に記載の入力装置。
【請求項４】
前記検出部は、前記接触操作面が球欠の曲面の場合、前記検出面上で中央から離れた位置に配置されるものほど前記重畳面積を小さくすることを特徴とした請求項１又は２に記載の入力装置。
【請求項５】
前記検出部は、一方向に沿わせた弧状の曲面を前記接触操作面とする場合、前記曲面を成す曲線の中間部よりも当該曲線の端部側に寄せて配置されるものほど前記重畳面積を小さくすることを特徴とした請求項１又は２に記載の入力装置。
【発明の詳細な説明】
【技術分野】
【０００１】
本発明は、入力装置に関する。
【背景技術】
【０００２】
従来、例えば、車両には、各種車載機器を操作するための入力装置が搭載されている。その入力装置としては、接触操作面に対する操作者の接触操作を入力操作形式とし、その接触操作に応じて静電容量を変動させるものが知られている。この種の入力装置は、接触操作面を有する操作体と、その接触操作面に対する操作者の手指の接触位置を検出するための静電センサと、を備える（下記の特許文献１）。静電センサは、検出面としての２次元平面上に複数の検出部を点在させており、それぞれの検出部で静電容量を測定している。制御装置は、それぞれの検出部の静電容量の情報を入力装置から受信し、静電容量の変動が測定された検出部の位置情報に基づいて、接触操作面に対する手指の接触位置を検出する。
【先行技術文献】
【特許文献】
【０００３】
【特許文献１】特開２０１７−９１２１９号公報
【発明の概要】
【発明が解決しようとする課題】
【０００４】
ところで、接触操作面は、必ずしも静電センサの検出面に平行な平面である必要はなく、操作性や意匠上の理由などの様々な要件に応じて、非平面に形成される場合もある。また、接触操作面は、平面を成していたとしても、静電センサの検出面に対して傾けて配置される場合もある。これらの場合、入力装置においては、検出面に対する直交方向にて、接触操作面における手指の接触位置と静電センサの検出面との間の距離が全ての接触位置で均一になっていない。よって、この入力装置は、接触操作面における接触位置毎の検出感度にばらつきを生じさせてしまう可能性がある。上記特許文献１に記載の入力装置は、検出体が非平面の接触操作面を有しており、その検出感度のばらつきを抑えるべく、検出体と静電センサとの間に、接触位置と検出面との間の距離が長い場所ほど誘電率を高くした感度調整層を設けている。但し、この入力装置は、感度調整層の分だけ部品点数が増加するので、体格の小型化や原価の低減という観点で見るならば、改善の余地がある。
【０００５】
そこで、本発明は、部品点数の増加を招くことなく検出感度のばらつきを抑えることが可能な入力装置を提供することを、その目的とする。
【課題を解決するための手段】
【０００６】
上記目的を達成する為、本発明は、操作形態の検出面としての２次元平面上に配置した複数の検出部を有する静電センサと、操作者によって接触操作される接触操作面を有する操作体と、を備え、前記接触操作面は、操作者が手指で触れることが可能な複数の接触点の集合体であり、全ての前記接触点が前記検出面に対して各々直交方向に距離を空けて配置され、かつ、前記検出面と前記接触点との間の前記距離が不均一となる少なくとも２つの領域に区分され、前記検出部は、前記直交方向で互いに電極間距離を空けて配置して静電容量を生じさせ、かつ、前記接触操作面に対する操作者の接触操作に応じて又は前記接触操作面に操作者が手指を近づけた際に静電容量を変動させる第１電極部と第２電極部とを１つずつ有し、前記静電センサは、前記検出面上で前記接触点との間の前記直交方向における前記距離が狭い場所に配置される前記検出部ほど、前記直交方向に見た前記第１電極部と前記第２電極部との重畳面積を小さくすることを特徴としている。
【０００７】
ここで、前記静電センサは、前記検出面に対する第１平行平面に沿って同一方向に延在させた複数の第１電極を自らの延在方向に対する直交方向で互いに間隔を空けて並列配置した第１電極群と、前記検出面に対する第２平行平面に沿って同一方向に延在させた複数の第２電極を自らの延在方向に対する直交方向で互いに間隔を空けて並列配置した第２電極群と、を有し、前記第１電極群と前記第２電極群は、前記検出面に対する直交方向で互いに前記電極間距離を空け、かつ、前記検出面に対する直交方向に見て前記第１電極と前記第２電極とを交差させて配置し、前記第１電極は、前記検出面に対する直交方向で前記第２電極部に交差する前記第１電極部を前記第２電極毎に有し、前記第２電極は、前記検出面に対する直交方向で前記第１電極部に交差する前記第２電極部を前記第１電極毎に有することが望ましい。
【０００８】
また、前記接触操作面は、非平面に形成することが望ましい。
【０００９】
また、前記検出部は、前記接触操作面が球欠の曲面の場合、前記検出面上で中央から離れた位置に配置されるものほど前記重畳面積を小さくすることが望ましい。
【００１０】
また、前記検出部は、一方向に沿わせた弧状の曲面を前記接触操作面とする場合、前記曲面を成す曲線の中間部よりも当該曲線の端部側に寄せて配置されるものほど前記重畳面積を小さくすることが望ましい。
【発明の効果】
【００１１】
本発明に係る入力装置は、それぞれの検出部毎に、検出面に対する直交方向での検出面上の検出部と接触点との間の距離に応じて、その検出部を成す第１電極部と第２電極部との重畳面積を調整する。その際、それぞれの検出部は、検出感度のばらつきを抑えるように重畳面積を調整している。よって、この入力装置は、接触操作面の各位置（それぞれの接触点）での検出感度のばらつきを小さくすることができる。また、この入力装置は、接触操作面から所定範囲内離れた場所で操作者が手指を動かしたときにも、検出感度のばらつきを小さくすることができる。従って、本発明に係る入力装置は、操作者によって行われた操作形態を精度良く検出することができる。更に、本発明に係る入力装置は、静電センサと操作体以外の別の部品を追加せずとも、検出感度の調整を行うことができる。つまり、この入力装置は、部品点数の増加を招くことなく、検出感度のばらつきを抑えることができる。従って、本発明に係る入力装置は、検出精度を向上させつつも、体格の小型化や原価の低減を図ることできる。
【図面の簡単な説明】
【００１２】
【図１】図１は、実施形態の入力装置を示す斜視図である。
【図２】図２は、実施形態の入力装置の積層構造を示す説明図である。
【図３】図３は、静電センサの構成の一例を検出面側から見た説明図である。
【図４】図４は、静電センサにおける検出部の構成を模式的に表した説明図である。
【図５】図５は、静電センサの構成の変形形態を検出面側から見た説明図である。
【図６】図６は、静電センサの構成の変形形態を検出面側から見た説明図である。
【図７】図７は、静電センサの構成の変形形態を検出面側から見た説明図である。
【図８】図８は、変形例の入力装置を示す斜視図である。
【図９】図９は、変形例の入力装置の積層構造を示す説明図である。
【図１０】図１０は、変形例の静電センサの構成の一例を検出面側から見た説明図である。
【図１１】図１１は、変形例の静電センサにおける検出部の構成を模式的に表した説明図である。
【発明を実施するための形態】
【００１３】
以下に、本発明に係る入力装置の実施形態を図面に基づいて詳細に説明する。尚、この実施形態によりこの発明が限定されるものではない。
【００１４】
［実施形態］
本発明に係る入力装置の実施形態の１つを図１から図１１に基づいて説明する。
【００１５】
図１及び図２の符号１は、本実施形態の入力装置を示す。この入力装置１は、操作者の接触操作面に対する手指による接触操作又は接触操作面から所定範囲内離れた場所での手指の動き（操作）を入力操作形式とするものであり、その操作に応じた信号を制御装置（図示略）に出力する。例えば、その制御装置を入力装置１と共に車両に搭載することによって、制御装置は、車両に搭載された車載機器（図示略）を動作又は停止させる。この場合、入力装置１は、図示しないが、例えば、車両の車室内で操作者（車両の運転者等）が操作し得る場所であって、センタコンソールやインスツルメントパネル、ステアリングコラムから車幅方向に延出させたレバースイッチの先端等に配置する。
【００１６】
本実施形態の入力装置１は、操作者の操作形態に応じた各検出点の静電容量を変動させる静電容量方式が採られている。よって、この入力装置１は、静電センサ１０と操作体２０とを備える（図１及び図２）。この入力装置１においては、静電センサ１０と操作体２０とを積層している。静電センサ１０は、操作形態の検出面１１としての２次元平面上に配置した複数の検出部１２を有する（図３のクロスハッチング部分）。この静電センサ１０には、例えば、電子部品等が実装されたプリント基板（ＰＣＢ：Printed  Circuit  Board）、基材となるフィルムに導電体が印刷等された導電性フィルム、合成樹脂等の中に導電体を分散させた導電性ペースト等を用いる。操作体２０は、操作者によって接触操作される接触操作面２１を有する（図１及び図２）。この操作体２０には、ガラスや合成樹脂等の誘電体を用いる。以下に、この入力装置１の具体例を示す。
【００１７】
接触操作面２１は、操作者が手指で触れることが可能な複数の接触点２２（図２）の集合体である。この接触操作面２１は、全ての接触点２２が静電センサ１０の検出面１１に対して各々直交方向に距離Ｄａを空けて配置されている。
【００１８】
この接触操作面２１は、検出面１１と接触点２２との間の距離Ｄａが不均一となる少なくとも２つの領域に区分される。より具体的に述べるならば、接触操作面２１とは、非平面に形成されたもの、又は、平面であるならば、検出面１１に対して傾斜させて配置されたものなどのことである。この例示では、球欠の曲面となるように接触操作面２１を形成している（図１）。よって、この入力装置１においては、その曲面を成す曲線上で、その曲線の中間部（中央）における接触点２２ａと検出面１１との間の距離Ｄａ１が最も広く、その曲線の中間部から端部に向かうに連れて接触点２２ｂと検出面１１との間の距離Ｄａ２が狭くなっていく（図２）。
【００１９】
ここで、この接触操作面２１には、指先で接触操作面２１をなぞるスライド操作と、指先で接触操作面２１を一定の方向にはらうフリック操作と、指先で接触操作面２１に触れるタッチ操作とが、接触操作形態として割り当てられている。
【００２０】
この接触操作面２１においては、全ての接触点２２の内の複数が操作者の手指で覆われる。静電センサ１０は、手指で覆われた複数の接触点２２の接触操作面２１上での分布を各検出部１２の静電容量の変動情報として制御装置に出力することができる。よって、制御装置は、操作者が接触操作面２１上の何処に触れているのかを検出することができる。また、制御装置は、手指で覆われている複数の接触点２２の分布に基づいて、手指による接触操作面２１に対する接触中心点を把握することができる。例えば、制御装置は、その接触中心点が所定距離以上変化しなければ、タッチ操作として検出し、その接触中心点が所定距離以上変化していれば、スライド操作又はフリック操作として検出する。
【００２１】
静電センサ１０の検出面１１は、接触操作面２１が球欠の曲面に形成されているので、円形に形成する。
【００２２】
静電センサ１０の検出部１２は、第１電極部１３ａと第２電極部１４ａとを１つずつ有する（図４）。第１電極部１３ａと第２電極部１４ａは、検出面１１に対する直交方向で互いに電極間距離Ｄｂを空けて配置しており、静電容量を生じさせる。また、第１電極部１３ａと第２電極部１４ａは、接触操作面２１に対する操作者の接触操作に応じて又は接触操作面２１に操作者が手指を近づけた際に静電容量を変動させる。ここでは、第１電極部１３ａを第２電極部１４ａよりも接触操作面２１側に配置しており、第１電極部１３ａを送信電極として機能させ、第２電極部１４ａを受信電極として機能させる。
【００２３】
静電センサ１０は、検出面１１上で接触点２２との間の距離Ｄａが狭い場所に配置される検出部１２ほど、検出面１１に対する直交方向に見た第１電極部１３ａと第２電極部１４ａとの重畳面積（図３のクロスハッチング部分）を小さくする。つまり、検出部１２は、検出面１１上で接触点２２との間の距離Ｄａが狭い場所に配置されているものほど、静電容量を小さくする。この例示の検出部１２は、接触操作面２１が球欠の曲面に形成されているので、検出面１１上で中央から離れた位置に配置されるものほど重畳面積を小さくしている。これにより、この静電センサ１０においては、それぞれの検出部１２の検出感度を互いに近づけていくことができる。つまり、この入力装置１においては、検出面１１上で接触点２２ａとの間の距離Ｄａ１が最も広い場所に配置される検出部１２ａとこれ以外の検出部１２（検出部１２ｂ）との間において、検出感度のばらつきが抑制される。よって、この入力装置１は、接触操作面２１の各位置（つまり、それぞれの接触点２２）での接触操作に伴う検出感度のばらつきを小さくすることができる。また、この入力装置１は、接触操作面２１から所定範囲内離れた場所で操作者が手指を動かしたときにも、検出感度のばらつきを小さくすることができる。
【００２４】
このように、本実施形態の入力装置１は、それぞれの検出部１２の検出感度を調整することができる。従って、それぞれの検出部１２においては、各々の検出感度が均等なものとなるように、重畳面積を調整する。
【００２５】
この例示では、具体的に、次のようにしてそれぞれの検出部１２の重畳面積を調整している。
【００２６】
静電センサ１０は、複数の第１電極部１３ａを有する第１電極１３が複数配置された第１電極群１５と、複数の第２電極部１４ａを有する第２電極１４が複数配置された第２電極群１６と、を有している（図３）。この静電センサ１０においては、第１電極群１５を第２電極群１６よりも接触操作面２１側に配置する。また、この静電センサ１０においては、第１電極１３を送信電極として利用し、第２電極１４を受信電極として利用する。
【００２７】
この例示の第１電極群１５は、第１電極１３として、検出面１１に対する第１平行平面に沿って同一方向に延在させた複数の第１電極１３Ａを有する（図３）。この第１電極群１５においては、その複数の第１電極１３Ａを自らの延在方向に対する直交方向で互いに間隔を空けて並列配置している。また、第２電極群１６は、第２電極１４として、検出面１１に対する第２平行平面に沿って同一方向に延在させた複数の第２電極１４Ａを有する（図３）。この第２電極群１６においては、その複数の第２電極１４Ａを自らの延在方向に対する直交方向で互いに間隔を空けて並列配置している。
【００２８】
この静電センサ１０において、第１電極群１５と第２電極群１６は、検出面１１に対する直交方向で互いに電極間距離Ｄｂを空けて配置する。更に、この第１電極群１５と第２電極群１６は、検出面１１に対する直交方向に見て第１電極１３と第２電極１４とを交差させて配置する。ここでは、全ての第１電極１３Ａにおいて、各々全ての第２電極１４Ａを直交させている。つまり、この静電センサ１０においては、検出面１１に対する直交方向に見て網の目状を成すように全ての第１電極１３Ａと全ての第２電極１４Ａとが配置されている。よって、第１電極１３Ａは、検出面１１に対する直交方向で第２電極部１４ａに交差する第１電極部１３ａを第２電極１４Ａ毎に有している。また、第２電極１４Ａは、検出面１１に対する直交方向で第１電極部１３ａに交差する第２電極部１４ａを第１電極１３Ａ毎に有している。
【００２９】
この例示の接触操作面２１は、球欠の曲面に形成されている。故に、検出部１２は、先に示したように、検出面１１上で中央から離れた位置に配置されるものほど重畳面積を小さくする。
【００３０】
その検出部１２毎の重畳面積の大きさの違いを出すために、例えば、全ての第１電極１３Ａは、第１平行平面に沿う幅が、自らの延在方向における中央からそれぞれの端部に向かうに連れて狭くなるように形成する（図３）。例えば、第１電極１３Ａは、５辺以上の多角形又は菱形に形成する。ここでは、第１電極１３Ａを六角形（擬似的に菱形といえる形状）に形成している。そして、それぞれの第１電極１３Ａは、その全てに共通する交差対象の第２電極１４Ａ毎に、検出面１１上で中央から離れた位置に配置されるものほど第１電極部１３ａの幅が狭くなるように形成する（図３）。この第１電極群１５の第１電極１３Ａの形状調整によって、検出部１２は、検出面１１上で中央から離れた位置に配置されるものほど重畳面積が小さくなる。
【００３１】
また、静電センサ１０は、これに替えて、第２電極群１６の第２電極１４を図５に示す第２電極１４Ｂのように形状調整することによって、検出部１２毎の重畳面積の大きさの違いを出してもよい。この場合、全ての第２電極１４Ｂは、第２平行平面に沿う幅が、自らの延在方向における中央からそれぞれの端部に向かうに連れて狭くなるように形成する。第２電極１４Ｂは、先に示した第１電極１３Ａと同じように、５辺以上の多角形又は菱形に形成する。ここでは、第２電極１４Ｂを六角形（擬似的に菱形といえる形状）に形成している。そして、それぞれの第２電極１４Ｂは、その全てに共通する交差対象の第１電極１３Ｂ毎に、検出面１１上で中央から離れた位置に配置されるものほど第２電極部１４ａの幅が狭くなるように形成する（図５）。これにより、検出部１２は、検出面１１上で中央から離れた位置に配置されるものほど重畳面積が小さくなる。
【００３２】
更に、静電センサ１０は、その第１電極群１５の第１電極１３Ａの形状調整と第２電極群１６の第２電極１４Ｂの形状調整とを併用してもよい（図６）。これにより、この静電センサ１０は、第１電極群１５と第２電極群１６のどちらか一方を形状調整したものと比較して、検出面１１の周方向における各検出部１２の重畳面積の大きさのばらつきを抑えることができる。よって、この静電センサ１０は、検出面１１の周方向における検出感度のばらつきも小さくすることができる。
【００３３】
また更に、静電センサ１０は、第１電極群１５の第１電極１３と第２電極群１６の第２電極１４の内の少なくとも一方を楕円形に形成したものであってもよい。ここでは、第１電極群１５の第１電極１３Ｃが楕円形に形成されたものを例示している（図７）。そして、それぞれの第１電極１３Ｃは、その全てに共通する交差対象の第２電極１４Ａ毎に、検出面１１上で中央から離れた位置に配置されるものほど第１電極部１３ａの幅が狭くなるように形成する（図７）。楕円形の第１電極１３Ｃは、検出面１１上で中央から離れた位置に配置されるものほど、対向配置され且つ延在方向に延びる２つの辺部の曲率を大きくすることによって、幅を狭めていく。この静電センサ１０においても、検出部１２は、検出面１１上で中央から離れた位置に配置されるものほど重畳面積が小さくなる。
【００３４】
以上示したように、本実施形態の入力装置１は、それぞれの検出部１２毎に、検出面１１に対する直交方向での検出面１１上の検出部１２と接触点２２との間の距離Ｄａに応じて、その検出部１２を成す第１電極部１３ａと第２電極部１４ａとの重畳面積を調整する。その際、それぞれの検出部１２は、検出感度のばらつきを抑えるように重畳面積を調整している。よって、この入力装置１は、接触操作面２１の各位置（それぞれの接触点２２）での検出感度のばらつきを小さくすることができる。また、この入力装置１は、接触操作面２１から所定範囲内離れた場所で操作者が手指を動かしたときにも、検出感度のばらつきを小さくすることができる。従って、本実施形態の入力装置１は、操作者によって行われた操作形態を精度良く検出することができる。
【００３５】
更に、本実施形態の入力装置１は、静電センサ１０と操作体２０以外の別の部品を追加せずとも、検出感度の調整を行うことができる。つまり、この入力装置１は、部品点数の増加を招くことなく、検出感度のばらつきを抑えることができる。従って、本実施形態の入力装置１は、検出精度を向上させつつも、体格の小型化や原価の低減を図ることできる。
【００３６】
尚、先に示した楕円形の第１電極１３Ｃは、幅が狭いものほど、延在方向におけるそれぞれの第１電極部１３ａの面積の差が小さくなる。故に、この楕円形の第１電極１３Ｃは、先の５辺以上の多角形又は菱形のものと比較して、それぞれの検出部１２の重畳面積の大きさに、検出感度のばらつきを無くすほどの違いを持たせることが難しい。これについては、第２電極１４を楕円形とした場合にも同様のことがいえる。よって、この場合の入力装置１は、５辺以上の多角形又は菱形の第１電極１３Ａや第２電極１４Ｂを用いるものと比較して、接触操作面２１の曲面を成す曲線の曲率を大きくして、各接触点２２における検出面１１と接触点２２との間の距離Ｄａの差を縮めるなど、静電センサ１０以外での対応が求められる可能性がある。換言するならば、この入力装置１は、５辺以上の多角形又は菱形の第１電極１３Ａや第２電極１４Ｂを用いるものと比較するならば、接触操作面２１の形状を決めるに当たっての設計の自由度が低くなってしまう可能性がある。従って、本実施形態の入力装置１は、検出精度の向上以外に、接触操作面２１の形状の設計の自由度をも求めるのであれば、第１電極１３や第２電極１４を楕円形に形成するよりも、５辺以上の多角形又は菱形に形成することが望ましい。
【００３７】
［変形例］
図８及び図９の符号２は、本変形例の入力装置を示す。この入力装置２は、前述した実施形態の入力装置１と同じように、静電センサ１１０と操作体１２０とを備える。静電センサ１１０は、操作形態の検出面１１１としての２次元平面上に配置した複数の検出部１１２を有する（図１０のクロスハッチング部分）。操作体１２０は、操作者によって接触操作される接触操作面１２１を有する（図８及び図９）。
【００３８】
本変形例の入力装置２においても、接触操作面１２１は、操作者が手指で触れることが可能な複数の接触点１２２（図９）の集合体であり、全ての接触点１２２が静電センサ１１０の検出面１１１に対して各々直交方向に距離Ｄａを空けて配置されている。更に、この入力装置２においても、接触操作面１２１は、検出面１１１と接触点１２２との間の距離Ｄａが不均一となる少なくとも２つの領域に区分される。本変形例では、一方向に沿わせた弧状の曲面を接触操作面１２１として形成している（図８）。この接触操作面１２１は、その曲面を成す曲線が全て同じ曲率から成るものであってもよく、その曲面が複数の異なる曲率から成る曲線で形成されたものであってもよい。ここでは、全て同じ曲率から成る曲面で接触操作面１２１を形成している。
【００３９】
本変形例の静電センサ１１０の検出面１１１は、矩形に形成する。
【００４０】
この静電センサ１１０の検出部１１２は、実施形態の検出部１２と同じように、第１電極部１１３ａと第２電極部１１４ａとを１つずつ有する（図１１）。第１電極部１１３ａと第２電極部１１４ａは、検出面１１１に対する直交方向で互いに電極間距離Ｄｂを空けて配置しており、静電容量を生じさせる。また、第１電極部１１３ａと第２電極部１１４ａは、接触操作面１２１に対する操作者の接触操作に応じて又は接触操作面１２１に操作者が手指を近づけた際に静電容量を変動させる。ここでは、第１電極部１１３ａを第２電極部１１４ａよりも接触操作面１２１側に配置しており、第１電極部１１３ａを送信電極として機能させ、第２電極部１１４ａを受信電極として機能させる。
【００４１】
本変形例においても、静電センサ１１０は、検出面１１１上で接触点１２２との間の距離Ｄａが狭い場所に配置される検出部１１２ほど、検出面１１１に対する直交方向に見た第１電極部１１３ａと第２電極部１１４ａとの重畳面積（図１０のクロスハッチング部分）を小さくする。本変形例の検出部１１２は、接触操作面１２１の曲面を成す曲線の中間部よりも当該曲線の端部側に寄せて配置されるものほど重畳面積を小さくする。
【００４２】
具体的に、この静電センサ１１０は、複数の第１電極部１１３ａを有する第１電極１１３が複数配置された第１電極群１１５と、複数の第２電極部１１４ａを有する第２電極１１４が複数配置された第２電極群１１６と、を有している（図１０）。この静電センサ１１０においては、第１電極群１１５を第２電極群１１６よりも接触操作面１２１側に配置する。また、この静電センサ１１０においては、第１電極１１３を送信電極として利用し、第２電極１１４を受信電極として利用する。第１電極群１１５のそれぞれの第１電極１１３は、実施形態の第１電極群１５のそれぞれの第１電極１３と同じように配列されている。また、第２電極群１１６のそれぞれの第２電極１１４は、実施形態の第２電極群１６のそれぞれの第２電極１４と同じように配列されている。
【００４３】
ここで、この静電センサ１１０においては、接触操作面１２１の曲面を成す曲線の両端を繋ぐ割線に沿って第１電極１１３と第２電極１１４の内の一方を延在させ、その内の他方をその割線に対する直交方向に沿って延在させる。ここでは、第１電極１１３を割線に対する直交方向に沿って延在させ、第２電極１１４を割線に沿って延在させている。
【００４４】
また、この静電センサ１１０においては、第１電極１１３と第２電極１１４を各々自らの延在方向を長手方向とする矩形に形成している。更に、この静電センサ１１０においては、割線に対する直交方向に延在させた電極（第１電極１１３）を、検出面１１１で中央から離れた位置に配置されるものほど電極部（第１電極部１１３ａ）の幅が狭くなるように形成している。
【００４５】
本変形例の静電センサ１１０においては、検出面１１１上で、接触操作面１２１の曲面を成す曲線の中間部（中央）における接触点１２２ａと検出面１１１との間の距離Ｄａ１が最も広く、その曲線の中間部から端部に向かうに連れて接触点１２２ｂと検出面１１１との間の距離Ｄａ２が狭くなっていく（図９）。しかしながら、この静電センサ１１０では、その曲線の端部側に配置されている検出部１１２ｂほど、その曲線の中間部側に配置されている検出部１１２ａよりも重畳面積を小さくしている。従って、この静電センサ１１０は、接触操作面１２１の形状を異にするが、前述した実施形態と同様の効果を得ることができる。
【００４６】
ところで、前述した実施形態や変形例では接触操作面２１，１２１を非平面（曲面）に形成しているが、その入力装置１，２は、接触操作面が平面に形成されていたとしても、この接触操作面が検出面１１，１１１に対して傾斜させて配置されているならば、その実施形態や変形例と同様の考えに基づいて構成することができる。つまり、接触操作面が検出面１１，１１１に対して傾いている場合には、検出面１１，１１１上で接触点２２、１２２との間の距離Ｄａが狭い場所に配置される検出部１２，１１２ほど、検出面１１，１１１に対する直交方向に見た第１電極部１３ａ，１１３ａと第２電極部１４ａ，１１４ａとの重畳面積を小さくすればよい。この場合でも、入力装置１，２は、先に示した実施形態や変形例と同様の効果を得ることができる。
【符号の説明】
【００４７】
１，２  入力装置
１０，１１０  静電センサ
１１，１１１  検出面
１２，１２ａ，１２ｂ，１１２，１１２ａ，１１２ｂ  検出部
１３，１３Ａ，１３Ｂ，１３Ｃ，１１３  第１電極
１３ａ，１１３ａ  第１電極部
１４，１４Ａ，１４Ｂ，１１４  第２電極
１４ａ，１１４ａ  第２電極部
１５，１１５  第１電極群
１６，１１６  第２電極群
２０，１２０  操作体
２１，１２１  接触操作面
２２，２２ａ，２２ｂ，１２２，１２２ａ，１２２ｂ  接触点
Ｄａ，Ｄａ１，Ｄａ２  距離
Ｄｂ  電極間距離
【図１】
2019096020.tif 000003
【図２】
2019096020.tif 000004
【図３】
2019096020.tif 000005
【図４】
2019096020.tif 000006
【図５】
2019096020.tif 000007
【図６】
2019096020.tif 000008
【図７】
2019096020.tif 000009
【図８】
2019096020.tif 000010
【図９】
2019096020.tif 000011
【図１０】
2019096020.tif 000012
【図１１】
2019096020.tif 000013